(57)【要約】【課題】本発明の目的は、リレーにおいて復帰バウンスの発生を抑えることにある。【解決手段】可動鉄心は、第１収納室から第２収納室に向かう方向に移動することで、可動接点を開位置から閉位置に移動させる。可動鉄心は、第２収納室から第１収納室に向かう方向に移動することで、可動接点を閉位置から開位置に移動させる。連通路は、第１収納室と第２収納室とを連通させる。連通路は、第１収納室側に配置された第１通路と、第２収納室側に配置された第２通路とを含む。第２通路と可動軸との間の第２の間隙は、第１通路と可動軸との間の第１の間隙よりも大きい。【選択図】図３
2020087538.tif 000002
【特許請求の範囲】
【請求項１】
第１収納室を含み、前記第１収納室を前記第１収納室外の第２収納室から区画するハウジングと、
前記第１収納室内に配置された固定接点と、
前記第１収納室内に配置され、前記固定接点と接触する閉位置と、前記固定接点から開離した開位置とに移動可能に設けられる可動接点と、
前記第１収納室内に配置され、前記可動接点が接続された可動接触片と、
前記第１収納室から前記第２収納室に向かって延び、前記可動接触片に接続された可動軸と、
前記第２収納室内において前記可動軸に接続され、前記第１収納室から前記第２収納室に向かう方向に移動することで前記可動接点を前記開位置から前記閉位置に移動させ、前記第２収納室から前記第１収納室に向かう方向に移動することで前記可動接点を前記閉位置から前記開位置に移動させる可動鉄心と、
前記可動鉄心を移動させる磁力を発生させるコイルと、
前記可動軸が挿入され、前記第１収納室と前記第２収納室とを連通させる連通路と、
を備え、
前記連通路は、前記第１収納室側に配置された第１通路と、前記第２収納室側に配置された第２通路とを含み、
前記第２通路と前記可動軸との間の第２の間隙は、前記第１通路と前記可動軸との間の第１の間隙よりも大きい、
リレー。
【請求項２】
前記連通路は、前記可動鉄心と接触することで、前記可動鉄心の前記第１収納室側への移動を規制する規制部をさらに含み、
前記第２通路は、前記規制部よりも前記第１収納室側に位置する、
請求項１に記載のリレー。
【請求項３】
前記連通路から前記固定接点又は前記可動接点に向かって延びるガイドをさらに備える、
請求項１又は２に記載のリレー。
【請求項４】
前記ガイドは、前記可動接触片に沿って配置されている、
請求項３に記載のリレー。
【請求項５】
前記ガイドは、前記可動接触片に向かって突出し前記固定接点又は前記可動接点に向かって延びる壁を含む、
請求項４に記載のリレー。
【請求項６】
前記ガイドは、前記可動接触片から離れる方向に向かって凹んでおり前記固定接点又は前記可動接点に向かって延びる溝を含む、
請求項４又は５に記載のリレー。
【発明の詳細な説明】
【技術分野】
【０００１】
本発明は、リレーに関する。
【背景技術】
【０００２】
リレーには、可動軸をコイル側に引き込むことで接点を閉じるものがある（例えば、特許文献１参照）。当該リレーは、第１収納室を含むハウジングを備えている。第１収納室には、固定接点と可動接点と可動接触片とが配置される。第１収納室外の第２収納室には、可動鉄心が配置される。可動軸は、第１収納室と第２収納室とに亘って配置されている。第１収納室と第２収納室とは、連通路を介して連通している。可動軸は、連通路に挿入されている。
【０００３】
上記のリレーでは、コイルによる磁力によって、可動鉄心が第１収納室から第２収納室に向かう方向に移動することで、可動接点が固定接点に接触する。逆に、可動鉄心が第２収納室から第１収納室に向かう方向に移動することで、可動接点が固定接点から開離する。
【先行技術文献】
【特許文献】
【０００４】
【特許文献１】特開２０１６−２４８６４
【発明の概要】
【発明が解決しようとする課題】
【０００５】
上述したリレーにおいて、可動接点が固定接点から開離するとき、可動接点と固定接点との間にアークが発生する場合がある。その場合、第１収納室内の温度が上昇することで、第１収納室内の圧力が上昇する。それにより、第１収納室の空気が、連通路を通って、第２収納室に流入する。
【０００６】
連通路を通って第２収納室に流入した空気が可動鉄心を押すと、可動鉄心は、可動接点が固定接点に向かう方向に動作する。そのため、接点の復帰時に、可動接点が、固定接点側に戻ってしまうバウンスという現象が生じてしまう。
【０００７】
本発明の目的は、リレーにおいて復帰バウンスの発生を抑えることにある。
【課題を解決するための手段】
【０００８】
一態様に係るリレーは、ハウジングと、固定接点と、可動接点と、可動接触片と、可動軸と、可動鉄心と、コイルと、連通路とを備える。ハウジングは、第１収納室を含み、第１収納室を第１収納室外の第２収納室から区画している。固定接点は、第１収納室内に配置される。可動接点は、第１収納室内に配置される。可動接点は、閉位置と開位置とに移動可能に設けられる。閉位置で、可動接点は、固定接点と接触する。開位置で、可動接点は、固定接点から開離する。可動接触片は、第１収納室内に配置される。可動接触片には、可動接点が接続される。可動軸は、第１収納室から第２収納室に向かって延び、可動接触片に接続される。可動鉄心は、第２収納室内において可動軸に接続される。可動鉄心は、第１収納室から第２収納室に向かう方向に移動することで、可動接点を開位置から閉位置に移動させる。可動鉄心は、第２収納室から第１収納室に向かう方向に移動することで、可動接点を閉位置から開位置に移動させる。コイルは、可動鉄心を移動させる磁力を発生させる。連通路には、可動軸が挿入される。連通路は、第１収納室と第２収納室とを連通させる。連通路は、第１収納室側に配置された第１通路と、第２収納室側に配置された第２通路とを含む。第２通路と可動軸との間の第２の間隙は、第１通路と可動軸との間の第１の間隙よりも大きい。
【０００９】
本態様に係るリレーでは、第２通路と可動軸との間の第２の間隙は、第１通路と可動軸との間の第１の間隙よりも大きい。そのため、第１収納室での圧力上昇によって第１収納室から第２収納室へ流れる空気は、第１通路から第２通路に流入する際に、減速される。従って、空気が可動鉄片を押す力が弱まることで、可動接点が、固定接点側に戻ってしまうことが抑えられる。その結果、復帰バウンスの発生を抑えることができる。
【００１０】
連通路は、規制部をさらに含んでもよい。規制部は、可動鉄心と接触することで、可動鉄心の第１収納室側への移動を規制してもよい。第２通路は、規制部よりも第１収納室側に位置してもよい。この場合、接点の復帰時に、可動鉄心は、規制部に接触することで、第１収納室側への移動が規制される。
【００１１】
リレーは、ガイドをさらに備えてもよい。ガイドは、連通路から、固定接点又は可動接点に向かって延びていてもよい。この場合、可動鉄心が第２収納室から第１収納室に向かう方向に移動するときに、第２収納室から連通路を介して第１収納室に流れる空気が、ガイドによって固定接点又は可動接点に向かって案内される。それにより、固定接点又は可動接点を冷却することができる。
【００１２】
ガイドは、可動接触片に沿って配置されてもよい。この場合、ガイドと可動接触片とによって、空気を固定接点又は可動接点に向かって案内することができる。それにより、固定接点又は可動接点を、より効果的に冷却することができる。
【００１３】
ガイドは、壁を含んでもよい。壁は、可動接触片に向かって突出し、固定接点又は可動接点に向かって延びていてもよい。この場合、壁によって、空気を固定接点又は可動接点に向かって案内することができる。それにより、固定接点又は可動接点を、より効果的に冷却することができる。
【００１４】
ガイドは、溝を含んでもよい。溝は、可動接触片から離れる方向に向かって凹んでおり、固定接点又は可動接点に向かって延びていてもよい。この場合、溝によって、空気を固定接点又は可動接点に向かって案内することができる。それにより、固定接点又は可動接点を、より効果的に冷却することができる。
【発明の効果】
【００１５】
本発明によれば、リレーにおいて復帰バウンスの発生を抑えることができる。
【図面の簡単な説明】
【００１６】
【図１】可動接点が開位置での実施形態に係るリレーの側面断面図である。
【図２】可動接点が閉位置でのリレーの側面断面図である。
【図３】可動接点が閉位置での連通路及びその周囲の拡大図である。
【図４】可動接点が開位置での連通路及びその周囲の拡大図である。
【図５】第１変形例に係るリレーの拡大図である。
【図６】第２変形例に係るリレーの拡大図である。
【図７】第２変形例に係るリレーのガイドの斜視図である。
【図８】第３変形例に係るリレーの拡大図である。
【発明を実施するための形態】
【００１７】
以下、図面を参照して実施形態に係るリレー１について説明する。図１は実施形態に係るリレー１を示す側面断面図である。図１に示すように、リレー１は、接点装置２と、ハウジング３と、駆動装置４とを備える。なお、以下の説明において、上下左右の各方向は、図１における上下左右の各方向を意味するものとする。詳細には、駆動装置４から接点装置２に向かう方向を上方と定義する。また、接点装置２から駆動装置４に向かう方向を下方と定義する。図１において、上下方向に交差する方向を左右方向と定義する。また、上下方向及び左右方向に交差する方向を前後方向と定義する。前後方向は、図１の紙面に垂直な方向である。ただし、これらの方向は、説明の便宜上、定義されるものであって、リレー１の配置方向を限定するものではない。
【００１８】
接点装置２は、第１固定端子１１と、第２固定端子１２と、可動接触片１３と、第１可動接点１６と、第２可動接点１７とを含む。第１固定端子１１と第２固定端子１２とは、例えば銅などの導電性を有する材料で形成されている。第１固定端子１１には、第１固定接点１４が設けられている。第２固定端子１２には、第２固定接点１５が設けられている。第１固定接点１４と第２固定接点１５とは、左右方向に離れて配置されている。
【００１９】
第１固定端子１１は、第１接点支持部２１と第１外部端子部２２とを含む。第１固定接点１４は、第１接点支持部２１に接続されている。第１外部端子部２２は、第１接点支持部２１に接続されている。第１外部端子部２２は、ハウジング３から外方に突出している。第２固定端子１２は、第２接点支持部２３と第２外部端子部２４とを含む。第２固定接点１５は、第２接点支持部２３に接続されている。第２外部端子部２４は、第２接点支持部２３に接続されている。第２外部端子部２４は、ハウジング３から外方に突出している。
【００２０】
なお、図１では、第１外部端子部２２と第２外部端子部２４とは、ハウジング３から上方に突出している。しかし、第１外部端子部２２と第２外部端子部２４とは、上方に限らず、左右方向、或いは前後方向など他の方向にハウジング３から突出してもよい。
【００２１】
可動接触片１３は、例えば銅などの導電性を有する材料で形成されている。可動接触片１３は、左右方向に延びている。本実施形態において、可動接触片１３の長手方向は、左右方向に一致する。可動接触片１３は、上下方向において、第１固定端子１１及び第２固定端子１２に対向して配置されている。
【００２２】
可動接触片１３は、接触方向Ｚ１と開離方向Ｚ２とに移動可能に配置されている。接触方向Ｚ１は、可動接触片１３が第１固定端子１１及び第２固定端子１２に近接する方向（図１における下方）である。開離方向Ｚ２は、可動接触片１３が第１固定端子１１及び第２固定端子１２から開離する方向（図１における上方）である。
【００２３】
第１可動接点１６と第２可動接点１７とは、可動接触片１３に支持されている。第１可動接点１６と第２可動接点１７とは、左右方向に離れて配置されている。第１可動接点１６は、上下方向において第１固定接点１４に対向している。第１可動接点１６は、第１固定接点１４の上方に配置されている。第２可動接点１７は、上下方向において第２固定接点１５に対向している。第２可動接点１７は、第２固定接点１５の上方に配置されている。
【００２４】
接点装置２は、可動軸１９と接点バネ２７とを含む。可動軸１９は、上下方向に延びている。可動軸１９は、可動接触片１３に接続されている。可動軸１９は、可動接触片１３から下方に延びている。接点バネ２７は、可動接点１６，１７が固定接点１４，１５に接触している状態で、可動接触片１３を接触方向Ｚ１に付勢する。
【００２５】
ハウジング３は、接点装置２を収容している。ハウジング３は、第１収納室Ｓ１を含む。固定接点１４，１５と、可動接触片１３と、可動接点１６，１７とは、第１収納室Ｓ１内に配置されている。駆動装置４は、第１収納室Ｓ１の外部に配置されている。
【００２６】
駆動装置４は、電磁力によって可動接触片１３を動作させる。駆動装置４は、接触方向Ｚ１及び開離方向Ｚ２に可動接触片１３を移動させる。駆動装置４は、ハウジング３の下方に配置されている。駆動装置４は、スプール３０と、可動鉄心３１と、コイル３２と、固定鉄心３３と、ヨーク３４と、復帰バネ３５とを含む。
【００２７】
スプール３０は、上下方向にスプール３０を貫通する孔３０１を含む。孔３０１は、可動鉄心３１が配置される第２収納室Ｓ２を構成する。ただし、第２収納室Ｓ２は、スプール３０以外の部分に設けられてもよい。可動鉄心３１は、固定鉄心３３と別体である。可動軸１９は、第１収納室Ｓ１から第２収納室Ｓ２に向かって延びている。可動鉄心３１は、第２収納室Ｓ２内において可動軸１９に接続されている。可動鉄心３１は、接触方向Ｚ１及び開離方向Ｚ２に移動可能に設けられている。接触方向Ｚ１は、第１収納室Ｓ１から第２収納室Ｓ２に向かう方向である。開離方向Ｚ２は、第２収納室Ｓ２から第１収納室Ｓ１に向かう方向である。コイル３２は、スプール３０に巻回されている。コイル３２は、通電されることで可動鉄心３１を接触方向Ｚ１に移動させる電磁力を発生させる。
【００２８】
固定鉄心３３は、第２収納室Ｓ２内に配置されている。固定鉄心３３は、可動鉄心３１に対向して配置されている。復帰バネ３５は、可動鉄心３１と固定鉄心３３との間に配置されている。復帰バネ３５は、可動鉄心３１を開離方向Ｚ２に付勢している。
【００２９】
ヨーク３４は、コイル３２を囲むように配置されている。ヨーク３４は、コイル３２によって構成される磁気回路上に配置されている。ヨーク３４は、コイル３２の上方と、コイル３２の側方と、コイル３２の下方とに配置されている。また、ヨーク３４の一部３４１は、第２収納室Ｓ２に配置されている。ヨーク３４の一部３４１は、可動鉄心３１の周囲に配置されている。
【００３０】
次に、リレー１の動作について説明する。コイル３２に通電されていないときには、駆動装置４は励磁されていない。この場合、可動軸１９は、可動鉄心３１と共に、復帰バネ３５の弾性力によって開離方向Ｚ２に押圧されている。そのため、可動接触片１３も開離方向Ｚ２に押圧されており、可動接点１６，１７は、図１に示す開位置に位置している。可動接点１６，１７が開位置に位置している状態では、第１可動接点１６及び第２可動接点１７は、第１固定接点１４及び第２固定接点１５から開離している。
【００３１】
コイル３２に通電されると、駆動装置４が励磁される。この場合、コイル３２の電磁力により、可動鉄心３１が、復帰バネ３５の弾性力に抗して、接触方向Ｚ１に移動する。それにより、可動軸１９と可動接触片１３とが共に接触方向Ｚ１に移動して、可動接点１６，１７は図２に示す閉位置へ移動する。可動接点１６，１７が閉位置に位置している状態では、第１可動接点１６及び第２可動接点１７は、第１固定接点１４及び第２固定接点１５にそれぞれ接触している。
【００３２】
コイル３２への電流が停止され消磁されると、可動鉄心３１は、復帰バネ３５の弾性力によって開離方向Ｚ２に押圧される。それにより、可動軸１９と可動接触片１３とが共に開離方向Ｚ２に移動して、可動接点１６，１７は図１に示す開位置へ戻る。
【００３３】
上述したハウジング３は、隔壁４０を含む。隔壁４０は、接点装置２と駆動装置４との間に配置されている。隔壁４０は、接点装置２の下方に配置されている。隔壁４０は、駆動装置４の上方に配置されている。第１収納室Ｓ１と第２収納室Ｓ２とは、隔壁４０によって区画されている。隔壁４０には、連通路４１が設けられている。連通路４１は、第１収納室Ｓ１と第２収納室Ｓ２とを連通させる。連通路４１には、可動軸１９が挿入される。
【００３４】
図３は、可動接点１６，１７が閉位置での連通路４１及びその周囲の拡大図である。図４は、可動接点１６，１７が開位置での連通路４１及びその周囲の拡大図である。図３及び図４に示すように、連通路４１は、第１収納室Ｓ１側に配置された第１通路４２と、第２収納室Ｓ２側に配置された第２通路４３とを含む。第１通路４２は、第１収納室Ｓ１に向かって開口している。第２通路４３は、第２収納室Ｓ２に向かって開口している。
【００３５】
第２通路４３は、可動鉄心３１の外形よりも小さい。第２通路４３は、第１通路４２よりも大きい。すなわち、第２通路４３の開口面積は、第１通路４２の開口面積よりも大きい。第２通路４３の開口面積は、上下方向への第２通路４３の投影面積を意味する。第１通路４２の開口面積は、上下方向への第１通路４２の投影面積を意味する。第２通路４３と可動軸１９との間の第２の間隙Ｇ２は、第１通路４２と可動軸１９との間の第１の間隙Ｇ１よりも大きい。第１通路４２と第２通路４３との間には、段部４４が設けられている。ただし、段部４４に代えてテーパ部が設けられてもよい。テーパ部は、第１通路４２側から第２通路４３側に向かって拡大するように設けられてもよい。
【００３６】
連通路４１は、規制部４５を含む。図４に示すように、規制部４５は、可動鉄心３１と接触することで、可動鉄心３１の第１収納室Ｓ１側への移動を規制する。可動接点１６，１７が開位置で、可動鉄心３１は、規制部４５に接触している。第２通路４３は、規制部４５よりも第１収納室Ｓ１側に位置する。第２通路４３は、規制部４５から第１収納室Ｓ１側に凹んだ形状を有している。
【００３７】
以上説明した本実施形態に係るリレー１では、第２通路４３と可動軸１９との間の第２の間隙Ｇ２は、第１通路４２と可動軸１９との間の第１の間隙Ｇ１よりも大きい。そのため、第１収納室Ｓ１での圧力上昇によって第１収納室Ｓ１から第２収納室Ｓ２へ流れる空気は、第１通路４２から第２通路４３に流入する際に、減速される。従って、空気が可動鉄片３１を押す力が弱まることで、可動接点１６，１７が、固定接点１４，１５側に戻ってしまうことが抑えられる。その結果、復帰バウンスの発生を抑えることができる。
【００３８】
また、可動鉄心３１の復帰動作時に、第２収納室Ｓ２から第１収納室Ｓ１に空気が流入するときには、連通路４１において空気の流速を増大させることができる。それにより、可動接触片１３の復帰動作を早くすることができる。そのため、接点間の絶縁のために必要な接点間隔を迅速に確保することができる。
【００３９】
さらに、第２収納室Ｓ２から第１収納室Ｓ１に流入する空気の流速が増大することで、空気が接点に到達し易くなる。そのため、接点において発生したアークを冷却することができる。
【００４０】
以上、本発明の一実施形態について説明したが、本発明は上記実施形態に限定されるものではなく、発明の要旨を逸脱しない範囲で種々の変更が可能である。
【００４１】
第１固定端子１１、第２固定端子１２、可動接触片１３の形状、或いは配置が変更されてもよい。スプール３０、可動鉄心３１、コイル３２、固定鉄心３３、或いはヨーク３４の形状、或いは配置が変更されてもよい。第１固定接点１４、第２固定接点１５、第１可動接点１６、第１固定接点１４の形状、或いは配置が変更されてもよい。
【００４２】
第１固定接点１４は、第１固定端子１１と別体であってもよく、或いは一体であってもよい。第２固定接点１５は、第２固定端子１２と別体であってもよく、或いは一体であってもよい。第１可動接点１６は、可動接触片１３と別体であってもよく、或いは一体であってもよい。第２可動接点１７は、可動接触片１３と別体であってもよく、或いは一体であってもよい。
【００４３】
連通路４１の形状、或いは配置は、上記の実施形態のものに限らず、変更されてもよい。図５は、リレー１の第１変形例を示す図である。図５に示すように、リレー１は、ガイド５１，５２をさらに備えてもよい。ガイド５１，５２は、可動接触片１３に沿って配置されてもよい。ガイド５１，５２は、可動接触片１３の下方において可動接触片１３と対向していてもよい。ガイド５１，５２は、第１ガイド５１と第２ガイド５２とを含んでもよい。第１ガイド５１は、左右方向において連通路４１から第１固定接点１４又は第１可動接点１６に向かって延びていてもよい。第２ガイド５２は、左右方向において連通路４１から第２固定接点１５又は第２可動接点１７に向かって延びていてもよい。
【００４４】
第１変形例では、可動鉄心３１が第２収納室Ｓ２から第１収納室Ｓ１に向かう方向に移動するときに、第２収納室Ｓ２から連通路４１を介して第１収納室Ｓ１に流れる空気が、ガイド５１，５２によって固定接点１４，１５又は可動接点１６，１７に向かって案内される。それにより、固定接点１４，１５又は可動接点１６，１７を、より効果的に冷却することができる。
【００４５】
図６及び図７は、リレー１の第２変形例を示す図である。図６及び図７に示すように、ガイド５１，５２は、壁５３，５４を含んでもよい。壁５３，５４は、可動接触片１３に向かって、すなわち上方に、突出していてもよい。壁５３，５４は、左右方向において固定接点１４，１５又は可動接点１６，１７に向かって延びていてもよい。壁５３，５４は、第１壁５３と第２壁５４とを含んでもよい。第１壁５３と第２壁５４とは、前後方向に互いに間隔をおいて配置されてもよい。第１壁５３と第２壁５４とは、それぞれ可動接触片１３に沿って、すなわち、左右方向に延びていてもよい。
【００４６】
また、ガイド５１，５２は、溝５５，５６を含んでもよい。溝５５，５６は、可動接触片１３から離れる方向、すなわち下方に向かって凹んでいてもよい。溝５５，５６は、第１溝５５と第２溝５６とを含んでもよい。第１溝５５は、左右方向において第１固定接点１４又は第１可動接点１６に向かって延びていてもよい。第２溝５６は、左右方向において第２固定接点１５又は第２可動接点１７に向かって延びていてもよい。
【００４７】
第２変形例では、壁５３，５４及び溝５５，５６によって、空気を固定接点１４，１５又は可動接点１６，１７に向かって案内することができる。それにより、固定接点１４，１５又は可動接点１６，１７を、より効果的に冷却することができる。なお、ガイド５１，５２は、壁５３，５４と溝５５，５６との両方に限らず、一方のみを含んでもよい。すなわち、ガイド５１，５２は、壁５３，５４のみを含んでもよい。或いは、ガイド５１，５２は、溝５５，５６のみを含んでもよい。
【００４８】
図８は、リレー１の第３変形例を示す図である。図８に示すように、連通路４１と可動鉄芯３１との間に、緩衝部材４６が配置されてもよい。連通路４１は、緩衝部材４６を介して、可動鉄心３１と接触してもよい。緩衝部材４６は、例えばゴムなどの弾性部材製であってもよい。また、緩衝部材４６と可動鉄芯３１との間、及び／又は、緩衝部材４６と規制部材４６との間に、スペーサが配置されてもよい。
【産業上の利用可能性】
【００４９】
本発明によれば、リレーにおいて復帰バウンスの発生を抑えることができる。
【符号の説明】
【００５０】
３          ハウジング
１３        可動接触片
１４，１５  固定接点
１６，１７  可動接点
１９        可動軸
３１        可動鉄心
３２        コイル
４１        連通路
４２        第１通路
４３        第２通路
４５        規制部
５１，５２  ガイド
５３，５４  壁
５５，５６  溝
Ｓ１        第１収納室
Ｓ２        第２収納室
【図１】
2020087538.tif 000003
【図２】
2020087538.tif 000004
【図３】
2020087538.tif 000005
【図４】
2020087538.tif 000006
【図５】
2020087538.tif 000007
【図６】
2020087538.tif 000008
【図７】
2020087538.tif 000009
【図８】
2020087538.tif 000010